(57)【要約】      （修正有）【課題】弁体とガイド部との接触抵抗を抑え、弁体の動作をスムーズにさせると共に、弁体に急激な逆流水が当接したとしても動作不良を生じない構造の逆流防止装置を提供する。【解決手段】逆流防止装置１は下流側からの排水等によって作動する弁体１１を有し、弁体１１の動作をガイドするガイド部４が本体部２の下面中央より垂設されている。ガイド部４はその中程から下端にかけて、外周に突起５が計四箇所設けられている。弁体１１の作動時において、弁体１１とガイド部４は突起５によってのみ当接する為、弁体１１に表面張力等の抵抗が発生した際でも、抵抗に邪魔されることなく弁体１１が作動可能である。【選択図】図２
2013181275.tif 000002
【特許請求の範囲】
【請求項１】
排水口に取り付けられる本体部と、
該本体部に開口された開口部と、
該開口部を閉塞する弁体と、
前記弁体の動作をガイドするガイド部と、
から構成される逆流防止装置において、
前記弁体は、前記ガイド部と当接する被ガイド部を有し、
前記ガイド部に、被ガイド部との当接の際の接触抵抗を減じる突起を設けたことを特徴とする逆流防止装置。
【請求項２】
排水口に取り付けられる本体部と、
該本体部に開口された開口部と、
該開口部を閉塞する弁体と、
前記弁体の動作をガイドするガイド部と、
から構成される逆流防止装置において、
前記弁体は、前記ガイド部と当接する被ガイド部を有し、
前記ガイド部若しくは被ガイド部の内、一方の形状を軸方向視多角形形状とし、他方の形状を、前記軸方向視多角形形状とした一方とは異なる多角形形状、若しくは円形形状としたことを特徴とする逆流防止装置。
【請求項３】
前記被ガイド部はガイド部に挿通されることを特徴とする請求項１若しくは請求項２に記載の逆流防止装置。
【請求項４】
排水口に水密的に取り付けられる本体部と、
該本体部に開口された開口部と、
該開口部を閉塞する弁体と、
前記弁体の動作をガイドする軸であるガイド部と、
から構成される逆流防止装置において、
前記弁体はガイド部が挿通される開口である被ガイド部を有し、
前記被ガイド部に、ガイド部との当接の際の接触抵抗を減じる突起を設けたことを特徴とする逆流防止装置。
【発明の詳細な説明】
【技術分野】
【０００１】
本発明は、洗面台や浴室、台所などの排水口に用いられる逆流防止装置に関するものである。
【背景技術】
【０００２】
図１０に示す従来の逆流防止装置は、以下に記載する本体部と、開口部と、から構成され、さらに弁体を以下の構成としている。
本体部は、円形状であって、排水機器の排水口に水密的に取り付けられる。また、下面に、下方に垂設されるガイド部を本体部と同軸に備える。更に該ガイド部は側面方向に突設した鍔部を構成して成る。
開口部は、前記本体部に複数開口される。
弁体は、平面視中心に開口を備えた円形のドーナツ状であって、比重が１よりも軽く構成されガイド部をその軸として上下動自在に配置されている。また、その上面には、突起が同心円軸上に突設され、更にこの突起は弁体が上昇した際に、本体部の開口部周縁に当接する。
従って、図１０に示す弁体においては、前記本体部下方に垂接されるガイド部と当接する、開口を被ガイド部としている。
この逆流防止装置の作用としては、図１０（ａ）に示すように、通常時は弁体がその自重により下降して、弁体の下面が前記鍔部に当接されて配置されており、本体部の上面部から排水があると、本体部の上面側から開口部を介して下面側へと排水される。
また、本体部の下面からの逆流水に対しては、図１０（ｂ）に示したように弁体が１より軽い比重で構成されているので、弁体が逆流水に伴って上昇し、弁体の突起が本体部の下面の開口部周縁に当接する。このとき、開口部は弁体の突起によって水密的に閉塞されているため、逆流水が本体部へ逆流することはない。
また、逆流水が収まると弁体はその自重により下降して、前記鍔部に当接される。
【０００３】
又、図１１に示す従来の逆流防止装置は、本体部と、弁体が収納される略筒状の小室と、逆Ｕ字形又は砲丸形の弁体と、から構成され、さらに弁体を以下の構成としている。
本体部は、円形状であって、排水機器の排水口に水密的に取り付けられる排水筒を有している。又、前記排水筒の周囲には複数の開口を有しており、当該開口に小室が取り付けられる。
小室は略Ｕ字状であって、内部に弁体を上下動可能に収納し、小室の側壁をガイド部とすると共に、内部に排水の移動が可能な孔を有している。
図１２(a)に示すように、弁体は逆Ｕ字形状又は砲丸形であり、又、図１２(b)に示すように外周に複数の突起を有している。当該突起は小室と弁体との接触面積を減じさせ、弁体の上下動をスムーズにさせる。
従って、当該弁体においては、小室の側壁と当接する突起を被ガイド部としている。
この逆流防止装置の作用としては、通常時は弁体が自重により下降して、弁体の下面が小室の底に当接して配置されており、本体部の上面部から排水があると、排水は本体部の開口を通り、小室に設けられた孔より下面側へと排水される。
又、本体部の下面からの逆流水に対しては、弁体が逆流水に伴って上昇し、弁体の上方が本体部の下面の開口部周縁に当接される。このとき、開口部は弁体によって水密的に閉塞されているため、逆流水が本体部へ逆流することはない。尚、当該弁体の上昇の際には、小室の内壁がガイド部の役割を果たす。
又、逆流水が収まると弁体はその自重により下降して、小室の底に当接される。
【先行技術文献】
【特許文献】
【０００４】
【特許文献１】特開２００２−８８８５６号（第１図、第３図）
【特許文献２】特開２００１−２００５６５号（第７図、第８図、第１０図）
【発明の概要】
【発明が解決しようとする課題】
【０００５】
しかし、上記のような逆流防止装置においては、以下のような問題が生じていた。
【０００６】
前記図１０に記載の逆流防止装置において、弁体はガイド部によって上下方向の移動がガイドされる。しかし、弁体の上昇（下降）時の揺動によってガイド部に被ガイド部が当接した際、ガイド部と弁体の接触抵抗が大きく、弁体が上昇（下降）出来ない場合があった。
【０００７】
一方、前記図１１に記載の逆流防止装置においては、弁体の外周に複数の突起を備えている為、図１０に記載の逆流防止装置と比較するとガイド部と被ガイド部の接触抵抗が低くなり、弁体の上下動がスムーズになった。
しかし、図１１に記載の逆流防止装置においては、下方より急激な逆流水が発生した際に、弁体が小室内で傾いた場合、突起がガイド部に引っ掛かり動作しなくなる場合があった。
【０００８】
そこで、本発明は、弁体とガイド部との接触抵抗を抑え、弁体の動作をスムーズにさせると共に、弁体に急激な逆流水が当接したとしても動作不良を生じさせない構造の逆流防止装置を提供することを課題とする。
【課題を解決するための手段】
【０００９】
上記課題を解決するための請求項１に記載の発明は、排水口に取り付けられる本体部と、
該本体部に開口された開口部と、
該開口部を閉塞する弁体と、
前記弁体の動作をガイドするガイド部と、
から構成される逆流防止装置において、
前記弁体は、前記ガイド部と当接する被ガイド部を有し、
前記ガイド部に、被ガイド部との当接の際の接触抵抗を減じる突起を設けたことを特徴とする逆流防止装置である。
【００１０】
請求項２に記載の発明は、排水口に取り付けられる本体部と、
該本体部に開口された開口部と、
該開口部を閉塞する弁体と、
前記弁体の動作をガイドするガイド部と、
から構成される逆流防止装置において、
前記弁体は、前記ガイド部と当接する被ガイド部を有し、
前記ガイド部若しくは被ガイド部の内、一方の形状を軸方向視多角形形状とし、他方の形状を、前記軸方向視多角形形状とした一方とは異なる多角形形状、若しくは円形形状としたことを特徴とする逆流防止装置である。
【００１１】
請求項３に記載の発明は、前記被ガイド部はガイド部に挿通されることを特徴とする請求項１若しくは請求項２に記載の逆流防止装置である。
【００１２】
請求項４に記載の発明は、排水口に水密的に取り付けられる本体部と、
該本体部に開口された開口部と、
該開口部を閉塞する弁体と、
前記弁体の動作をガイドする軸であるガイド部と、
から構成される逆流防止装置において、
前記弁体はガイド部が挿通される開口である被ガイド部を有し、
前記被ガイド部に、ガイド部との当接の際の接触抵抗を減じる突起を設けたことを特徴とする逆流防止装置である。
【発明の効果】
【００１３】
請求項１乃至請求項４に記載の本発明によれば、弁体とガイド部の当接面積を小さくすることが出来る。その為、弁体とガイド部との間において表面張力等の抵抗が発生した場合でも、当該抵抗に邪魔されることなく弁体を好適に作動させることが可能である。
即ち、本発明においては、ガイド部、及び被ガイド部の内、少なくとも一方の当接箇所を限定し、且つ当該当接箇所以外の箇所においてガイド部と被ガイド部間の距離を十分に離間させることによって、抵抗を減ずることが可能となる。
尚、本発明における「多角形」とは、凸多角形のみを指すのではなく、凹多角形を含むものである。従って、例えば星形の様な形状も「多角形」の範疇とする。
又、本発明における「多角形」とは、少なくとも１つ以上の角（頂点）を有する形状も含むものであり、円弧部分を有するからといって直ちに「多角形」の範疇を逸するものではない。
即ち、本発明における「多角形」とは「一つ以上の角（頂点）を有する形状」を指す。
尚、「角（頂点）」は必ずしも鋭利に尖っている必要はない。
又、「円形形状」とは正円である必要は無く、円弧部分を有する形状であれば良い。
【図面の簡単な説明】
【００１４】
【図１】本発明の第一実施形態を備えた設備機器を示す断面図である。
【図２】本発明の第一実施形態を示す（a）側面断面図、（b）図２（a）のA-A断面図である。
【図３】図２（a）のB-B断面図である。
【図４】本発明の第一実施形態において弁体が(a)下降時の断面図(a)上昇時の断面図である。
【図５】本発明の第二実施形態を示す（a）側面断面図、（b）図５（a）のC-C断面図である。
【図６】本発明の第三実施形態を示す（a）側面断面図、（b）図６（a）のD-D断面図である。
【図７】本発明の第四実施形態を示す（a）側面断面図、（b）図７（a）のE-E断面図である。
【図８】本発明の第五実施形態を示す（a）側面断面図、（b）図８（a）のF-F断面図である。
【図９】本発明の第六実施形態を示す（a）側面断面図、（b）図９（a）のG-G断面図である。
【図１０】従来の逆流防止装置において弁体が(a)下降時の断面図(a)上昇時の断面図である。
【図１１】従来の逆流防止装置を示す断面図である。
【図１２】図１１の逆流防止装置に係る弁体の（a）断面図（b）平面図である。
【発明を実施するための形態】
【００１５】
以下、図面を参照しながら本発明の逆流防止装置を説明する。尚、以下に記載する説明は実施形態の理解を容易にする為のものであり、これによって本発明が制限して理解されるものではない。又、特に断りの無い限り、図１の設置状態を基準として上下左右を説明する。
尚、各実施形態において、前の実施形態で説明したものや図面より明らかである等、改めて説明する必要の無い構造については、記載を省略する。
【００１６】
以下に本発明の第一実施形態を、図面を参照しつつ説明する。
図１乃至図４に記載の本発明の第一実施形態における逆流防止装置１は、使用により排水が排出される設備機器に接続される。
又、本発明の第一実施形態の設備機器は、図１に示すように浴槽Ｂと、浴槽パンＰと、浴槽Ｂからの排水を下流側へと排出するエルボ部材２０と、目皿部材２５と、から成る。尚、前記目皿部材２５には逆流防止装置１が取り付けられている。
【００１７】
浴槽Ｂは、内部に水を貯水する箱体であって、内部に貯水した排水を外部に排出させるための排水部１５を底面に開口している。
排水栓１６は、上端にフランジ部を備えた円筒形の部材であって、浴槽Ｂの排水部１５に取り付けられる。排水栓１６の下端側にはゴム等の可撓性を有する部材から成るジャバラ形状の水密管１７が嵌合されており、当該水密管１７によって、下方のエルボ部材２０の上方に設けられている目皿部材２５と水密的に連結する。
【００１８】
エルボ部材２０は浴槽パンＰに取り付けられており、上流からの排水が流入する流入口２１、及び排水を下流側に流出させる流出口２２を備え、流入口２１に目皿部材２５が設けられている。又、流出口２２には可撓管２３が取り付けられており、上流側から流入した排水を下水側へと排出する。
【００１９】
目皿部材２５は平面視略円形の部材であって、第一排水口２６及び第二排水口２７を開口し、エルボ部材２０の流入口２１に取り付けられている。
第一排水口２６は浴槽Ｂが載置される際に前記水密管１７と連結し、浴槽Ｂからの排水をエルボ部材２０へと流入させる開口である。又、第一排水口２６は下方に垂下する筒状部分を有している。
一方、第二排水口２７は浴槽パンＰからの排水をエルボ部材２０へと流入させる開口であって、後述する逆流防止装置１が取り付けられている。又、第二排水口２７も下方に垂下する筒状部分を有し、当該筒状部分によって、逆流防止装置１に側方から排水が当接することを防ぐ。
【００２０】
逆流防止装置１は図２に示すように、本体部２と、開口部３と、ガイド部４と、係合爪７と、鍔部８と、から成り、内部に弁体１１を備えている。
本体部２は周囲にパッキン１０を備えており、目皿部材２５の第二排水口２７に水密的に取り付けられる。尚、第二排水口２７に取り付けられた際、本体部２の上面は目皿部材２５の上面と略面一となる。
開口部３は、図３に示すように、本体部２に設けられた円弧状の開口であって、２箇所設けられている。又、開口部３の下面側周縁には突条６が設けられている。
ガイド部４は本体部２の下面中央より垂設された、内部が中空の略円筒状であり、後述する弁体１１を挿通する。又、ガイド部４は図２（b）に示すように、中程から下端にかけて突起５を等間隔に４箇所有している。即ち、ガイド部４の上端付近の断面は断面視円形であるが、下端付近の断面は円形の周囲４箇所に円弧状の突起５が突出している形となっている。そして、ガイド部４下端には、弁体１１の落下防止の為の鍔部８が接着されている。
鍔部８は後述する弁体１１がガイド部４より落下しないよう支える部材であり、ガイド部４よりも幅広であって、上面に突出部９が設けられている。
尚、開口部３の下面側周縁に設けられた突条６は、開口部３の縁に沿って設けられており、鍔部８の上面に設けられた突出部９は、ガイド部４の周囲４箇所に設けられている。
係合爪７は本体部２の下面より下方に伸び、第二排水口２７と係合する爪部分であって、等間隔に４箇所設けられている。
又、逆流防止装置１は本体部２の上面側において、把持部１３を有している。把持部１３は目皿部材２５より逆流防止装置１を取り外す際に把持される部分であり、本体部２より斜め上方に向けて延設されている。
【００２１】
弁体１１は平面視円形の平板状であって、中心に前記ガイド部４が挿通する開口である、被ガイド部１２が設けられている。被ガイド部１２は弁体１１と軸を同じくする円形であり、前記ガイド部４の外径よりもやや大径に形成されている。
従って、弁体１１はガイド部４によって上下動をガイドされ、確実に前記開口部３を開閉する。
【００２２】
尚、弁体１１は、例えば発砲樹脂やシリコンゴム等の水に浮く材質によって形成され、その比重は１より軽く形成されている。
【００２３】
本発明の第一実施形態は以下のように作用する。
【００２４】
図４（a）に示すように、下流側からの逆流水が生じない時においては、弁体１１は自重によりガイド部４の下端まで下降し、弁体１１の下面が鍔部８の上面に設けられた突出部９と当接する。
そして、浴槽パンＰからの排水が生じた場合、開口部３より浴槽パンＰの排水がエルボ部材２０へと排出される。
【００２５】
一方、弁体１１の下方、即ちエルボ部材２０側から逆流水が生じた場合、図４（b）に示すように、弁体１１が逆流水に伴って上昇し、本体部２の下面に設けられた突条６と当接する。この時、弁体１１と突条６の当接によって開口部３が閉塞される為、エルボ部材２０側から生じた逆流水は開口部３を通過することは出来ず、浴槽パンＰ上に逆流水が溢れ出すことはない。
そして、エルボ部材２０側からの逆流水の発生が終了すると、弁体１１は自重によって再びガイド部４の下端まで下降する。
【００２６】
上記のような弁体１１の下降／上昇時において、開口部３の下面側周縁及び鍔部８の上面には突出部９が設けられており、当該突出部９と弁体１１が当接する為、弁体１１の当接面積を小さくすることが出来る。従って、弁体１１に表面張力が発生した際でも、表面張力に邪魔されることなく弁体１１が作動可能である。
【００２７】
尚、弁体１１の動作はガイド部４によってガイドされる為、確実に上昇時に弁体１１が開口部３の開閉を行うことが出来る。当該弁体１１がガイド部４によってガイドされる際には、弁体１１の被ガイド部１２の上縁、下縁、内壁等がガイド部４の突起５と当接し、被ガイド部分として機能する。
【００２８】
本発明の第一実施形態では、前述のようにガイド部４の外周、中程から下端にかけては突起５が等間隔に４箇所設けられている。従って、弁体１１の下降／上昇時において、弁体１１が揺動し、ガイド部４に当接した際、弁体１１（被ガイド部１２）は突起５とのみ当接する。従って、ガイド部４に突起５が設けられていない場合と比べ、ガイド部４と弁体１１（被ガイド部１２）の当接面積を小さくすることが出来る。即ち、当該当接箇所以外の箇所はガイド部４と被ガイド部１２間が、抵抗が生じない程度に離間している為、弁体１１（被ガイド部１２）とガイド部４の間に表面張力等の抵抗が発生した際でも、当該抵抗に邪魔されることなく弁体１１が作動可能である。
【００２９】
尚、上記本発明の第一実施形態では、ガイド部４に設けられた突起５は、ガイド部４の中程から下端にかけて設けられていたが、本発明はこれに限られるものではなく、ガイド部の上端から下端まで連続する突起を設けても良い。
【００３０】
又、上記本発明の第一実施形態では、逆流防止装置１のガイド部４は本体部２の下面中央より垂設された円筒状であり、且つ、弁体１１の被ガイド部１２は平面視円形の開口であって、ガイド部４が被ガイド部１２を挿通していた。しかし、本発明はこれに限られるものではなく、図５に示す本発明の第二実施形態のように、本体部３２の内側側面をガイド部３４として、弁体４１の側面を利用し、弁体４１の外側よりガイドを行っても良い。この場合においては、弁体４１の側面が被ガイド部４２として機能する。
【００３１】
第二実施形態における逆流防止装置３１では、図５（a）に示すように、本体部３２の側面より下方に垂設してガイド部３４を形成している。そして当該ガイド部３４の内周の上端から下端にかけて突起３５を等間隔に４箇所有している。
又、ガイド部３４は下端において内向きにフランジ状の鍔部３８を形成し、後述する弁体４１の落下を防止する。鍔部３８は上面に突出部３９を備えると共に、開口部３３から流入した排水を下流側へと排出する為の流出開口３７を備えている。尚、流出開口３７は略円弧状であり、突出部３９の外側且つ前記４箇所に設けられた突起３５間に設けられている。
【００３２】
又、弁体４１は図５（b）に示すように、内部に開口を有さない平面視円形の平板状であって、その側面を被ガイド部４２としている。
【００３３】
本発明の第二実施形態では、弁体４１の下降／上昇時において、ガイド部３４の内周の上端から下端にかけて突起３５が設けられている為、弁体４１の下降／上昇時に弁体４１が揺動したとしても、被ガイド部４２は突起３５とのみ当接する。従って、ガイド部３４に突起３５が設けられていない場合に比べて当接面積を小さくすることが出来、従って、当接箇所に表面張力等の抵抗が発生した際でも、当該抵抗に邪魔されることなく弁体４１が作動可能である。
又、本体部３２の上方から排水が生じた場合、排水は開口部３３より流入し、流出開口３７より下流へと排出される。この時、流出開口３７は前記４箇所に設けられた突起３５間に設けられている為、弁体４１によって閉塞されることはなく好適な排水が可能である。
【００３４】
上記第一実施形態及び第二実施形態では、ガイド部に突起を設けることによって抵抗を減じる構成としたが、本発明はこれに限られるものではなく、例えば図６及び図８に示す実施形態のように、ガイド部若しくは被ガイド部の内、少なくとも一方の形状を軸方向視多角形形状とし、他方の形状を前記軸方向視多角形形状とした一方とは異なる多角形形状、若しくは円形形状とすることによっても抵抗を減じることが可能である。
【００３５】
図６に示す本発明の第三実施形態に係る逆流防止装置５１は第一実施形態とほぼ同一の構成であるが、図６（b）に示すように、本体部５２より垂設されたガイド部５４が軸方向視（平面視）において正方形である四角柱形状をしている。
一方、弁体１１は第一実施形態と同様、平面視円形の平板状であって、中心にガイド部５４が挿通する円形の開口である、被ガイド部１２が設けられている。
【００３６】
従って、弁体１１（被ガイド部１２）とガイド部５４が当接する際は、必ず頂点５５a、５５b、５５c、５５dのいずれかと当接することとなり、ガイド部５４と被ガイド部１２の当接面積を小さくすることが出来る。
【００３７】
又、上記第三実施形態では、ガイド部５４を軸方向視（平面視）正方形である四角柱形状としたが、本発明における「多角形」は四角に限られるものではなく、三角形であっても、五角形であっても良く、１つ以上の頂点を有していれば良い。この場合、被ガイド部を前記多角形形状の頂点と当接する形状とすることによって、より抵抗を減じることが可能である。多角形形状と当接する形状とは、例えば上記第三実施形態における被ガイド部１２のような円形形状等が挙げられるが、円形形状に限るものではない。
【００３８】
又、「多角形」とは凸多角形のみを指すものではなく、凹多角形を含むものであって、例えば星形形状であっても「多角形」の範疇であるものとする。本発明における「多角形」とは、少なくとも１つ以上の角（頂点）を有する形状であり、軸方向視（平面視）において円弧形状を有するからといって直ちに「多角形」の範疇から外れるものではない。
又、「頂点」は必ずしも鋭利に尖っている必要はない。
又、「円形形状」とは正円である必要は無く、円弧部分を有する形状であれば良い。
【００３９】
又、上記第三実施形態では、弁体１１を挿通するガイド部５４を軸方向視（平面視）多角形形状としたが、本発明はこれに限るものでは無く、例えば図７に示す本発明の第四実施形態に係る逆流防止装置６１のように、本体部６２の内側側面を多角形形状のガイド部６４とし、円形形状の弁体４１の側面を利用して、弁体４１の外側より動作のガイドを行っても良い。この場合においては、弁体４１の側面が被ガイド部４２として機能する。
尚、第三実施形態では、軸方向視四角形形状の本体部６２の四隅に流出開口６５が設けられている。
【００４０】
尚、上記本発明の第三実施形態及び第四実施形態では、弁体の動作をガイドするガイド部を多角形形状としたが、本発明はガイド部が多角形形状であるものに限るものではなく、被ガイド部が多角形形状であって、ガイド部が円形形状等に構成されることにより、被ガイド部の頂点とガイド部が当接する構成であっても良い。
【００４１】
又、上記本発明の第三実施形態及び第四実施形態では、一方を多角形形状とし、他方を円形形状として構成したが、本発明はこれに限るものではない。例えば図８に示す本発明の第五実施形態に係る逆流防止装置７１は、ガイド部７４が軸方向視略四角形形状であるが、四辺の内、対向する二辺に周り止め突起７８を備え、計６つの頂点を有する多角形形状である。対して弁体７６の被ガイド部７７は軸方向視正六角形形状である。
【００４２】
上記第五実施形態は上記のように、ガイド部を軸方向視多角形形状とし、被ガイド部をガイド部とは異なる軸方向視多角形形状とすることによって当接面積を小さくしている。
尚、ガイド部と被ガイド部の形状については上記実施形態に限るものではなく、発明の要旨を逸脱しない範囲において種々の変更を加えることが可能である。
【００４３】
又、本発明の第一実施形態では、ガイド部４が突起５を有する構成によって、ガイド時におけるガイド部４と被ガイド部１２の抵抗を減じたが、本発明はこれに限るものではなく、例えば図９に示す本発明の第六実施形態に係る逆流防止装置８１のように、弁体８６の被ガイド部８７に突起８８を複数設けることによってガイド部８４との当接面積を小さくしても良い。
【００４４】
尚、前記各実施形態では弁体を１よりも軽い比重の弁体として記載したが、１よりも重い弁体でも水等の勢いで弁が作動することにより本発明の逆流防止装置を実施することが出来る。
【００４５】
又、前記各実施形態では浴室の排水部と連結する目皿部材に取り付けられる逆流防止装置を記載したが、例えば洗濯機や洗面台、台所の各排水口に用いられても構わない。
【００４６】
又、前記各実施形態では、各逆流防止装置は目皿部材に取り付けられる構成であったが、逆流防止装置自体が第一排水口を備えることによって槽体の排水部と連結し、目皿部材を兼ねる構成であっても良い。
【符号の説明】
【００４７】
１，３１，５１，６１，７１，８１  逆流防止装置
２，３２，５２，６２              本体部
３，３３                          開口部
４，３４，５４，６４，７４，８４  ガイド部
５，３５，７８，８８              突起
１１，４１，７６，８６            弁体
１２，４２，７７，８７            被ガイド部
【図１】
2013181275.tif 000003
【図２】
2013181275.tif 000004
【図３】
2013181275.tif 000005
【図４】
2013181275.tif 000006
【図５】
2013181275.tif 000007
【図６】
2013181275.tif 000008
【図７】
2013181275.tif 000009
【図８】
2013181275.tif 000010
【図９】
2013181275.tif 000011
【図１０】
2013181275.tif 000012
【図１１】
2013181275.tif 000013
【図１２】
2013181275.tif 000014
【手続補正書】
【提出日】平成24年3月12日(2012.3.12)
【手続補正１】
【補正対象書類名】明細書
【補正対象項目名】全文
【補正方法】変更
【補正の内容】
【発明の詳細な説明】
【技術分野】
【０００１】
本発明は、洗面台や浴室、台所などの排水口に用いられる逆流防止装置に関するものである。
【背景技術】
【０００２】
図１０に示す従来の逆流防止装置は、以下に記載する本体部と、開口部と、から構成され、さらに弁体を以下の構成としている。
本体部は、円形状であって、排水機器の排水口に水密的に取り付けられる。また、下面に、下方に垂設されるガイド部を本体部と同軸に備える。更に該ガイド部は側面方向に突設した鍔部を構成して成る。
開口部は、前記本体部に複数開口される。
弁体は、平面視中心に開口を備えた円形のドーナツ状であって、比重が１よりも軽く構成されガイド部をその軸として上下動自在に配置されている。また、その上面には、突起が同心円軸上に突設され、更にこの突起は弁体が上昇した際に、本体部の開口部周縁に当接する。
従って、図１０に示す弁体においては、前記本体部下方に垂接されるガイド部と当接する、開口を被ガイド部としている。
この逆流防止装置の作用としては、図１０（ａ）に示すように、通常時は弁体がその自重により下降して、弁体の下面が前記鍔部に当接されて配置されており、本体部の上面部から排水があると、本体部の上面側から開口部を介して下面側へと排水される。
また、本体部の下面からの逆流水に対しては、図１０（ｂ）に示したように弁体が１より軽い比重で構成されているので、弁体が逆流水に伴って上昇し、弁体の突起が本体部の下面の開口部周縁に当接する。このとき、開口部は弁体の突起によって水密的に閉塞されているため、逆流水が本体部へ逆流することはない。
また、逆流水が収まると弁体はその自重により下降して、前記鍔部に当接される。
【０００３】
又、図１１に示す従来の逆流防止装置は、本体部と、弁体が収納される略筒状の小室と、逆Ｕ字形又は砲丸形の弁体と、から構成され、さらに弁体を以下の構成としている。
本体部は、円形状であって、排水機器の排水口に水密的に取り付けられる排水筒を有している。又、前記排水筒の周囲には複数の開口を有しており、当該開口に小室が取り付けられる。
小室は略Ｕ字状であって、内部に弁体を上下動可能に収納し、小室の側壁をガイド部とすると共に、内部に排水の移動が可能な孔を有している。
図１２(a)に示すように、弁体は逆Ｕ字形状又は砲丸形であり、又、図１２(b)に示すように外周に複数の突起を有している。当該突起は小室と弁体との接触面積を減じさせ、弁体の上下動をスムーズにさせる。
従って、当該弁体においては、小室の側壁と当接する突起を被ガイド部としている。
この逆流防止装置の作用としては、通常時は弁体が自重により下降して、弁体の下面が小室の底に当接して配置されており、本体部の上面部から排水があると、排水は本体部の開口を通り、小室に設けられた孔より下面側へと排水される。
又、本体部の下面からの逆流水に対しては、弁体が逆流水に伴って上昇し、弁体の上方が本体部の下面の開口部周縁に当接される。このとき、開口部は弁体によって水密的に閉塞されているため、逆流水が本体部へ逆流することはない。尚、当該弁体の上昇の際には、小室の内壁がガイド部の役割を果たす。
又、逆流水が収まると弁体はその自重により下降して、小室の底に当接される。
【先行技術文献】
【特許文献】
【０００４】
【特許文献１】特開２００２−８８８５６号（第１図、第３図）
【特許文献２】特開２００１−２００５６５号（第７図、第８図、第１０図）
【発明の概要】
【発明が解決しようとする課題】
【０００５】
しかし、上記のような逆流防止装置においては、以下のような問題が生じていた。
【０００６】
前記図１０に記載の逆流防止装置において、弁体はガイド部によって上下方向の移動がガイドされる。しかし、弁体の上昇（下降）時の揺動によってガイド部に被ガイド部が当接した際、ガイド部と弁体の接触抵抗が大きく、弁体が上昇（下降）出来ない場合があった。
【０００７】
一方、前記図１１に記載の逆流防止装置においては、弁体の外周に複数の突起を備えている為、図１０に記載の逆流防止装置と比較するとガイド部と被ガイド部の接触抵抗が低くなり、弁体の上下動がスムーズになった。
しかし、図１１に記載の逆流防止装置においては、下方より急激な逆流水が発生した際に、弁体が小室内で傾いた場合、突起がガイド部に引っ掛かり動作しなくなる場合があった。
【０００８】
そこで、本発明は、弁体とガイド部との接触抵抗を抑え、弁体の動作をスムーズにさせると共に、弁体に急激な逆流水が当接したとしても動作不良を生じさせない構造の逆流防止装置を提供することを課題とする。
【課題を解決するための手段】
【０００９】
上記課題を解決するための請求項１に記載の発明は、排水口に取り付けられる本体部と、
該本体部に開口された開口部と、
該開口部を閉塞する弁体と、
前記弁体の動作をガイドするガイド部と、
から構成される逆流防止装置において、
前記弁体は、前記ガイド部と当接する被ガイド部を有し、
前記ガイド部に、被ガイド部との当接の際の接触抵抗を減じる突起を設けたことを特徴とする逆流防止装置である。
【００１０】
請求項２に記載の発明は、排水口に取り付けられる本体部と、
該本体部に開口された開口部と、
該開口部を閉塞する弁体と、
前記弁体の動作をガイドするガイド部と、
から構成される逆流防止装置において、
前記弁体は、前記ガイド部と当接する被ガイド部を有し、
前記ガイド部若しくは被ガイド部の内、一方の形状を軸方向視多角形形状とし、他方の形状を、前記軸方向視多角形形状とした一方とは異なる多角形形状、若しくは円形形状としたことを特徴とする逆流防止装置である。
【００１１】
請求項３に記載の発明は、前記被ガイド部はガイド部に挿通されることを特徴とする請求項１若しくは請求項２に記載の逆流防止装置である。
【００１２】
請求項４に記載の発明は、排水口に水密的に取り付けられる本体部と、
該本体部に開口された開口部と、
該開口部を閉塞する弁体と、
前記弁体の動作をガイドする軸であるガイド部と、
から構成される逆流防止装置において、
前記弁体はガイド部が挿通される開口である被ガイド部を有し、
前記被ガイド部に、ガイド部との当接の際の接触抵抗を減じる突起を設けたことを特徴とする逆流防止装置である。
【発明の効果】
【００１３】
請求項１乃至請求項４に記載の本発明によれば、弁体とガイド部の当接面積を小さくすることが出来る。その為、弁体とガイド部との間において表面張力等の抵抗が発生した場合でも、当該抵抗に邪魔されることなく弁体を好適に作動させることが可能である。
即ち、本発明においては、ガイド部、及び被ガイド部の内、少なくとも一方の当接箇所を限定し、且つ当該当接箇所以外の箇所においてガイド部と被ガイド部間の距離を十分に離間させることによって、抵抗を減ずることが可能となる。
尚、本発明における「多角形」とは、凸多角形のみを指すのではなく、凹多角形を含むものである。従って、例えば星形の様な形状も「多角形」の範疇とする。
又、本発明における「多角形」とは、少なくとも１つ以上の角（頂点）を有する形状も含むものであり、円弧部分を有するからといって直ちに「多角形」の範疇を逸するものではない。
即ち、本発明における「多角形」とは「一つ以上の角（頂点）を有する形状」を指す。
尚、「角（頂点）」は必ずしも鋭利に尖っている必要はない。
又、「円形形状」とは正円である必要は無く、円弧部分を有する形状であれば良い。
【図面の簡単な説明】
【００１４】
【図１】本発明の第一実施形態を備えた設備機器を示す断面図である。
【図２】本発明の第一実施形態を示す（a）側面断面図、（b）図２（a）のA-A断面図である。
【図３】図２（a）のB-B断面図である。
【図４】本発明の第一実施形態において弁体が(a)下降時の断面図(a)上昇時の断面図である。
【図５】本発明の第二実施形態を示す（a）側面断面図、（b）図５（a）のC-C断面図である。
【図６】本発明の第三実施形態を示す（a）側面断面図、（b）図６（a）のD-D断面図である。
【図７】本発明の第四実施形態を示す（a）側面断面図、（b）図７（a）のE-E断面図である。
【図８】本発明の第五実施形態を示す（a）側面断面図、（b）図８（a）のF-F断面図である。
【図９】本発明の第六実施形態を示す（a）側面断面図、（b）図９（a）のG-G断面図である。
【図１０】従来の逆流防止装置において弁体が(a)下降時の断面図(a)上昇時の断面図である。
【図１１】従来の逆流防止装置を示す断面図である。
【図１２】図１１の逆流防止装置に係る弁体の（a）断面図（b）平面図である。
【発明を実施するための形態】
【００１５】
以下、図面を参照しながら本発明の逆流防止装置を説明する。尚、以下に記載する説明は実施形態の理解を容易にする為のものであり、これによって本発明が制限して理解されるものではない。又、特に断りの無い限り、図１の設置状態を基準として上下左右を説明する。
尚、各実施形態において、前の実施形態で説明したものや図面より明らかである等、改めて説明する必要の無い構造については、記載を省略する。
【００１６】
以下に本発明の第一実施形態を、図面を参照しつつ説明する。
図１乃至図４に記載の本発明の第一実施形態における逆流防止装置１は、使用により排水が排出される設備機器に接続される。
又、本発明の第一実施形態の設備機器は、図１に示すように浴槽Ｂと、浴槽パンＰと、浴槽Ｂからの排水を下流側へと排出するエルボ部材２０と、目皿部材２５と、から成る。尚、前記目皿部材２５には逆流防止装置１が取り付けられている。
【００１７】
浴槽Ｂは、内部に水を貯水する箱体であって、内部に貯水した排水を外部に排出させるための排水部１５を底面に開口している。
排水栓１６は、上端にフランジ部を備えた円筒形の部材であって、浴槽Ｂの排水部１５に取り付けられる。排水栓１６の下端側にはゴム等の可撓性を有する部材から成るジャバラ形状の水密管１７が嵌合されており、当該水密管１７によって、下方のエルボ部材２０の上方に設けられている目皿部材２５と水密的に連結する。
【００１８】
エルボ部材２０は浴槽パンＰに取り付けられており、上流からの排水が流入する流入口２１、及び排水を下流側に流出させる流出口２２を備え、流入口２１に目皿部材２５が設けられている。又、流出口２２には可撓管２３が取り付けられており、上流側から流入した排水を下水側へと排出する。
【００１９】
目皿部材２５は平面視略円形の部材であって、第一排水口２６及び第二排水口２７を開口し、エルボ部材２０の流入口２１に取り付けられている。
第一排水口２６は浴槽Ｂが載置される際に前記水密管１７と連結し、浴槽Ｂからの排水をエルボ部材２０へと流入させる開口である。又、第一排水口２６は下方に垂下する筒状部分を有している。
一方、第二排水口２７は浴槽パンＰからの排水をエルボ部材２０へと流入させる開口であって、後述する逆流防止装置１が取り付けられている。又、第二排水口２７も下方に垂下する筒状部分を有し、当該筒状部分によって、逆流防止装置１に側方から排水が当接することを防ぐ。
【００２０】
逆流防止装置１は図２に示すように、本体部２と、開口部３と、ガイド部４と、係合爪７と、鍔部８と、から成り、内部に弁体１１を備えている。
本体部２は周囲にパッキン１０を備えており、目皿部材２５の第二排水口２７に水密的に取り付けられる。尚、第二排水口２７に取り付けられた際、本体部２の上面は目皿部材２５の上面と略面一となる。
開口部３は、図３に示すように、本体部２に設けられた円弧状の開口であって、２箇所設けられている。又、開口部３の下面側周縁には突条６が設けられている。
ガイド部４は本体部２の下面中央より垂設された、内部が中空の略円筒状であり、後述する弁体１１を挿通する。又、ガイド部４は図２（b）に示すように、中程から下端にかけて突起５を等間隔に４箇所有している。即ち、ガイド部４の上端付近の断面は断面視円形であるが、下端付近の断面は円形の周囲４箇所に円弧状の突起５が突出している形となっている。そして、ガイド部４下端には、弁体１１の落下防止の為の鍔部８が接着されている。
鍔部８は後述する弁体１１がガイド部４より落下しないよう支える部材であり、ガイド部４よりも幅広であって、上面に突出部９が設けられている。
尚、開口部３の下面側周縁に設けられた突条６は、開口部３の縁に沿って設けられており、鍔部８の上面に設けられた突出部９は、ガイド部４の周囲４箇所に設けられている。
係合爪７は本体部２の下面より下方に伸び、第二排水口２７と係合する爪部分であって、等間隔に４箇所設けられている。
又、逆流防止装置１は本体部２の上面側において、把持部１３を有している。把持部１３は目皿部材２５より逆流防止装置１を取り外す際に把持される部分であり、本体部２より斜め上方に向けて延設されている。
【００２１】
弁体１１は平面視円形の平板状であって、中心に前記ガイド部４が挿通する開口である、被ガイド部１２が設けられている。被ガイド部１２は弁体１１と軸を同じくする円形であり、前記ガイド部４の外径よりもやや大径に形成されている。
従って、弁体１１はガイド部４によって上下動をガイドされ、確実に前記開口部３を開閉する。
【００２２】
尚、弁体１１は、例えば発泡樹脂や、柔軟性を有するシリコンゴム等の水に浮く材質によって形成され、その比重は１より軽く形成されている。
【００２３】
本発明の第一実施形態は以下のように作用する。
【００２４】
図４（a）に示すように、下流側からの逆流水が生じない時においては、弁体１１は自重によりガイド部４の下端まで下降し、弁体１１の下面が鍔部８の上面に設けられた突出部９と当接する。
そして、浴槽パンＰからの排水が生じた場合、開口部３より浴槽パンＰの排水がエルボ部材２０へと排出される。
【００２５】
一方、弁体１１の下方、即ちエルボ部材２０側から逆流水が生じた場合、図４（b）に示すように、弁体１１が逆流水に伴って上昇し、本体部２の下面に設けられた突条６と当接する。この時、弁体１１と突条６の当接によって開口部３が閉塞される為、エルボ部材２０側から生じた逆流水は開口部３を通過することは出来ず、浴槽パンＰ上に逆流水が溢れ出すことはない。
そして、エルボ部材２０側からの逆流水の発生が終了すると、弁体１１は自重によって再びガイド部４の下端まで下降する。
【００２６】
上記のような弁体１１の下降／上昇時において、開口部３の下面側周縁及び鍔部８の上面には突出部９が設けられており、当該突出部９と弁体１１が当接する為、弁体１１の当接面積を小さくすることが出来る。従って、弁体１１に表面張力が発生した際でも、表面張力に邪魔されることなく弁体１１が作動可能である。
【００２７】
尚、弁体１１の動作はガイド部４によってガイドされる為、確実に上昇時に弁体１１が開口部３の開閉を行うことが出来る。当該弁体１１がガイド部４によってガイドされる際には、弁体１１の被ガイド部１２の上縁、下縁、内壁等がガイド部４の突起５と当接し、被ガイド部分として機能する。
【００２８】
本発明の第一実施形態では、前述のようにガイド部４の外周、中程から下端にかけては突起５が等間隔に４箇所設けられている。従って、弁体１１の下降／上昇時において、弁体１１が揺動し、ガイド部４に当接した際、弁体１１（被ガイド部１２）は突起５とのみ当接する。従って、ガイド部４に突起５が設けられていない場合と比べ、ガイド部４と弁体１１（被ガイド部１２）の当接面積を小さくすることが出来る。即ち、当該当接箇所以外の箇所はガイド部４と被ガイド部１２間が、抵抗が生じない程度に離間している為、弁体１１（被ガイド部１２）とガイド部４の間に表面張力等の抵抗が発生した際でも、当該抵抗に邪魔されることなく弁体１１が作動可能である。
【００２９】
尚、上記本発明の第一実施形態では、ガイド部４に設けられた突起５は、ガイド部４の中程から下端にかけて設けられていたが、本発明はこれに限られるものではなく、ガイド部の上端から下端まで連続する突起を設けても良い。
【００３０】
又、上記本発明の第一実施形態では、逆流防止装置１のガイド部４は本体部２の下面中央より垂設された円筒状であり、且つ、弁体１１の被ガイド部１２は平面視円形の開口であって、ガイド部４が被ガイド部１２を挿通していた。しかし、本発明はこれに限られるものではなく、図５に示す本発明の第二実施形態のように、本体部３２の内側側面をガイド部３４として、弁体４１の側面を利用し、弁体４１の外側よりガイドを行っても良い。この場合においては、弁体４１の側面が被ガイド部４２として機能する。
【００３１】
第二実施形態における逆流防止装置３１では、図５（a）に示すように、本体部３２の側面より下方に垂設してガイド部３４を形成している。そして当該ガイド部３４の内周の上端から下端にかけて突起３５を等間隔に４箇所有している。
又、ガイド部３４は下端において内向きにフランジ状の鍔部３８を形成し、後述する弁体４１の落下を防止する。鍔部３８は上面に突出部３９を備えると共に、開口部３３から流入した排水を下流側へと排出する為の流出開口３７を備えている。尚、流出開口３７は略円弧状であり、突出部３９の外側且つ前記４箇所に設けられた突起３５間に設けられている。
【００３２】
又、弁体４１は図５（b）に示すように、内部に開口を有さない平面視円形の平板状であって、その側面を被ガイド部４２としている。
【００３３】
本発明の第二実施形態では、弁体４１の下降／上昇時において、ガイド部３４の内周の上端から下端にかけて突起３５が設けられている為、弁体４１の下降／上昇時に弁体４１が揺動したとしても、被ガイド部４２は突起３５とのみ当接する。従って、ガイド部３４に突起３５が設けられていない場合に比べて当接面積を小さくすることが出来、従って、当接箇所に表面張力等の抵抗が発生した際でも、当該抵抗に邪魔されることなく弁体４１が作動可能である。
又、本体部３２の上方から排水が生じた場合、排水は開口部３３より流入し、流出開口３７より下流へと排出される。この時、流出開口３７は前記４箇所に設けられた突起３５間に設けられている為、弁体４１によって閉塞されることはなく好適な排水が可能である。
【００３４】
上記第一実施形態及び第二実施形態では、ガイド部に突起を設けることによって抵抗を減じる構成としたが、本発明はこれに限られるものではなく、例えば図６及び図８に示す実施形態のように、ガイド部若しくは被ガイド部の内、少なくとも一方の形状を軸方向視多角形形状とし、他方の形状を前記軸方向視多角形形状とした一方とは異なる多角形形状、若しくは円形形状とすることによっても抵抗を減じることが可能である。
【００３５】
図６に示す本発明の第三実施形態に係る逆流防止装置５１は第一実施形態とほぼ同一の構成であるが、図６（b）に示すように、本体部５２より垂設されたガイド部５４が軸方向視（平面視）において正方形である四角柱形状をしている。
一方、弁体１１は第一実施形態と同様、平面視円形の平板状であって、中心にガイド部５４が挿通する円形の開口である、被ガイド部１２が設けられている。
【００３６】
従って、弁体１１（被ガイド部１２）とガイド部５４が当接する際は、必ず頂点５５a、５５b、５５c、５５dのいずれかと当接することとなり、ガイド部５４と被ガイド部１２の当接面積を小さくすることが出来る。
【００３７】
又、上記第三実施形態では、ガイド部５４を軸方向視（平面視）正方形である四角柱形状としたが、本発明における「多角形」は四角に限られるものではなく、三角形であっても、五角形であっても良く、１つ以上の頂点を有していれば良い。この場合、被ガイド部を前記多角形形状の頂点と当接する形状とすることによって、より抵抗を減じることが可能である。多角形形状と当接する形状とは、例えば上記第三実施形態における被ガイド部１２のような円形形状等が挙げられるが、円形形状に限るものではない。
【００３８】
又、「多角形」とは凸多角形のみを指すものではなく、凹多角形を含むものであって、例えば星形形状であっても「多角形」の範疇であるものとする。本発明における「多角形」とは、少なくとも１つ以上の角（頂点）を有する形状であり、軸方向視（平面視）において円弧形状を有するからといって直ちに「多角形」の範疇から外れるものではない。
又、「頂点」は必ずしも鋭利に尖っている必要はない。
又、「円形形状」とは正円である必要は無く、円弧部分を有する形状であれば良い。
【００３９】
又、上記第三実施形態では、弁体１１を挿通するガイド部５４を軸方向視（平面視）多角形形状としたが、本発明はこれに限るものでは無く、例えば図７に示す本発明の第四実施形態に係る逆流防止装置６１のように、本体部６２の内側側面を多角形形状のガイド部６４とし、円形形状の弁体４１の側面を利用して、弁体４１の外側より動作のガイドを行っても良い。この場合においては、弁体４１の側面が被ガイド部４２として機能する。
尚、第三実施形態では、軸方向視四角形形状の本体部６２の四隅に流出開口６５が設けられている。
【００４０】
尚、上記本発明の第三実施形態及び第四実施形態では、弁体の動作をガイドするガイド部を多角形形状としたが、本発明はガイド部が多角形形状であるものに限るものではなく、被ガイド部が多角形形状であって、ガイド部が円形形状等に構成されることにより、被ガイド部の頂点とガイド部が当接する構成であっても良い。
【００４１】
又、上記本発明の第三実施形態及び第四実施形態では、一方を多角形形状とし、他方を円形形状として構成したが、本発明はこれに限るものではない。例えば図８に示す本発明の第五実施形態に係る逆流防止装置７１は、ガイド部７４が軸方向視略四角形形状であるが、四辺の内、対向する二辺に周り止め突起７８を備え、計６つの頂点を有する多角形形状である。対して弁体７６の被ガイド部７７は軸方向視正六角形形状である。
【００４２】
上記第五実施形態は上記のように、ガイド部を軸方向視多角形形状とし、被ガイド部をガイド部とは異なる軸方向視多角形形状とすることによって当接面積を小さくしている。
尚、ガイド部と被ガイド部の形状については上記実施形態に限るものではなく、発明の要旨を逸脱しない範囲において種々の変更を加えることが可能である。
【００４３】
又、本発明の第一実施形態では、ガイド部４が突起５を有する構成によって、ガイド時におけるガイド部４と被ガイド部１２の抵抗を減じたが、本発明はこれに限るものではなく、例えば図９に示す本発明の第六実施形態に係る逆流防止装置８１のように、弁体８６の被ガイド部８７に突起８８を複数設けることによってガイド部８４との当接面積を小さくしても良い。
【００４４】
尚、前記各実施形態では弁体を１よりも軽い比重の弁体として記載したが、１よりも重い弁体でも水等の勢いで弁が作動することにより本発明の逆流防止装置を実施することが出来る。
【００４５】
又、前記各実施形態では浴室の排水部と連結する目皿部材に取り付けられる逆流防止装置を記載したが、例えば洗濯機や洗面台、台所の各排水口に用いられても構わない。
【００４６】
又、前記各実施形態では、各逆流防止装置は目皿部材に取り付けられる構成であったが、逆流防止装置自体が第一排水口を備えることによって槽体の排水部と連結し、目皿部材を兼ねる構成であっても良い。
【００４７】
又、上記各実施形態において、突起、突条、突出部、ガイド部、被ガイド部の数を一定に記載していたが、本願発明においては各実施形態において記載した個数、本数に限られるものではない。
【符号の説明】
【００４８】
１，３１，５１，６１，７１，８１  逆流防止装置
２，３２，５２，６２              本体部
３，３３                          開口部
４，３４，５４，６４，７４，８４  ガイド部
５，３５，７８，８８              突起
１１，４１，７６，８６            弁体
１２，４２，７７，８７            被ガイド部